(57)【要約】      （修正有）【課題】植物の生育段階に対応した用土を順次追加していく栽培方法において、栽培に使用した用土の回収を行う場合に、回収に必要な労力を軽減させることができ植物栽培用容器および植物の栽培方法を提供する。【解決手段】側壁部と底壁部１５とによって形成され、上面が開口した植物の栽培に用いる植物栽培用容器であって、側壁部は接続および分離可能となる接続構造を備えた側壁部材１１ａが複数接続されることで形成され、底壁部１５は、複数の連通孔１６を有し、側壁部と取り外し可能に取り付けられている植物栽培用容器および植物栽培用容器を用いた植物の栽培方法。【選択図】図１
2010263814.tif 000002
【特許請求の範囲】
【請求項１】
側壁部と底壁部とによって形成され、上面が開口した植物の栽培に用いる植物栽培用容器であって、
前記側壁部は、他の側壁部材と接続および分離可能となる接続構造を備えた側壁部材が複数接続されることで形成され、
前記底壁部は、複数の連通孔を有し、前記側壁部と取り外し可能に取り付けられている
ことを特徴とする植物栽培用容器。
【請求項２】
前記複数の側壁部材には複数の接続孔が形成され、
前記接続構造は、前記複数の接続孔を通って前記複数の側壁部材を接続する接続部材からなる
請求項１記載の栽培陽容器。
【請求項３】
前記底壁部は、時間経過により土中へ自然溶解する有機質材料で形成された
請求項１または請求項２に記載の植物栽培用容器。
【請求項４】
前記底壁部は、焼却可能な材料で形成された
請求項１または請求項２に記載の植物栽培用容器。
【請求項５】
植物の栽培方法であって、
栽培対象とする植物の生育段階を２以上の段階に分類し、
側壁部と底壁部とによって形成され、上面が開口した植物の栽培に用いる植物栽培用容器であって、前記側壁部は、他の側壁部材と接続および分離可能となる接続構造を備えた側壁部材が複数接続されることで形成され、前記底壁部は、複数の連通孔を有し、前記側壁部と取り外し可能に取り付けられている植物栽培用容器を、複数個用意し、
前記容器の１つに、第１生育段階に応じた肥料を混合した用土を充填し、
前記第１生育段階に応じた肥料が混合された用土が充填された前記容器を第１生育段階用容器として、植物の種若しくは苗を植え付け、
前記種若しくは苗の成長が第２生育段階に至ったときに、
前記容器の１つに、第２生育段階に応じた用土を充填し、
前記第１生育段階用容器を、前記第２生育段階に応じた用土を充填した容器の上側に重ね合わせ、
以後、前記栽培対象とする植物の成長に応じて、最下部の容器を、他の容器の上側に重ね合わせていくことにより、生育を進行させ、
栽培に用いた用土を回収する場合には、前記側壁部を前記底壁部から分離させて用土を露出させる
ことを特徴とする植物の栽培方法。
【発明の詳細な説明】
【技術分野】
【０００１】
本発明は、植木鉢および植木鉢を用いた植物の栽培方法に関する。
【背景技術】
【０００２】
従来から、鉢やプランター等の容器を用いた野菜等の栽培方法として、多くの方法が提案されている。本願に係る発明をした者の１人が先に出願し、登録された栽培方法もその１つである（特許文献１）。これは、鉢やプランター等、上面が開口し、下面に連通孔を有する容器を複数個用いるもので、複数の容器の開口部が、それぞれ異なる大きさであり、それらに、栽培対象とする野菜等の生育段階に応じた肥料を混合せしめた用土を詰め、順次重ね合わせながら生育を進行させる栽培方法であり、それなりの良い結果を得ることができた。
【先行技術文献】
【特許文献】
【０００３】
【特許文献１】特許２７４４２１０号公報
【発明の概要】
【発明が解決しようとする課題】
【０００４】
しかしながら、上述した栽培方法では、栽培に使用した用土が栽培に適さない状態（栄養素の欠乏、害虫の発生など）になり、用土を処分する必要が生じた場合に、植物の根が、容器に充填された用土および連通孔に複雑に絡まってしまうことから、用土を取り出すことが困難になるという問題が生じていた。
【０００５】
本発明は、上記の問題を解決すべく、植物の生育段階に対応した用土を順次追加していく栽培方法において、栽培に使用した用土の回収を行う場合に、回収に必要な労力を軽減させることができるようにすることを目的とする。
【課題を解決するための手段】
【０００６】
本発明の植物栽培用容器は、側壁部と底壁部とによって形成され、上面が開口した植物の栽培に用いる植物栽培用容器であって、前記側壁部は、他の側壁部材と接続および分離可能となる接続構造を備えた側壁部材が複数接続されることで形成され、前記底壁部は、複数の連通孔を有し、前記側壁部と取り外し可能に取り付けられていることを特徴とする。
【０００７】
上記の構成としたことで、植物の生育段階に対応した用土を順次追加していく栽培方法において、栽培に使用した用土の回収を行う場合に、回収に必要な労力を軽減させることができるようになる。
【０００８】
前記複数の側壁部材には複数の接続孔が形成され、前記接続構造は、前記複数の接続孔を通って前記複数の側壁部材を接続する接続部材からなる構成とされていてもよい。
【０００９】
前記底壁部は、時間経過により土中へ自然溶解する有機質材料で形成されていてもよい。
【００１０】
前記底壁部は、焼却可能な材料で形成されていてもよい。
【００１１】
また、本発明の植物の栽培方法は、栽培対象とする植物の生育段階を２以上の段階に分類し、側壁部と底壁部とによって形成され、上面が開口した植物の栽培に用いる植物栽培用容器であって、前記側壁部は、他の側壁部材と接続および分離可能となる接続構造を備えた側壁部材が複数接続されることで形成され、前記底壁部は、複数の連通孔を有し、前記側壁部と取り外し可能に取り付けられている植物栽培用容器を、複数個用意し、前記容器の１つに、第１生育段階に応じた肥料を混合した用土を充填し、前記第１生育段階に応じた肥料が混合された用土が充填された前記容器を第１生育段階用容器として、植物の種若しくは苗を植え付け、前記種若しくは苗の成長が第２生育段階に至ったときに、前記容器の１つに、第２生育段階に応じた用土を充填し、前記第１生育段階用容器を、前記第２生育段階に応じた用土を充填した容器の上側に重ね合わせ、以後、前記栽培対象とする植物の成長に応じて、最下部の容器を、他の容器の上側に重ね合わせていくことにより、生育を進行させ、栽培に用いた用土を回収する場合には、前記側壁部を前記側壁部から分離させて用土を露出させることを特徴とする。
【発明の効果】
【００１２】
本発明によれば、植物の生育段階に対応した用土を順次追加していく栽培方法において、栽培に使用した用土の回収を行う場合に、回収に必要な労力を軽減させることができるようになる。
【図面の簡単な説明】
【００１３】
【図１】本発明に係る植物栽培用容器の一実施の形態を示す斜視図である。
【図２】図１の構成要素を組み立てた形態を示す斜視図である。
【図３】本発明に係る植物栽培用容器の一実施の形態を示す断面図である。
【図４】２つの側壁部材１１ａの接続方法の例を説明するための説明図である。
【図５】本発明の植物の栽培方法の実施の形態を示す正面図である。
【図６】本発明の植物の栽培方法の実施の形態を示す一部断面図である。
【発明を実施するための形態】
【００１４】
以下、本発明の一実施の形態について図面を参照して説明する。
【００１５】
図１は、本発明の一実施の形態を示す植木鉢１０を構成する部品の斜視図である。図１に示すように、植木鉢１０は、摘み部１２と接続孔１３および底壁取付部１７とが形成された側壁部材１１ａと、植物の根を通すための複数の連通孔１６が形成された底壁部１５と、複数の接続部材１４とにより構成される。なお、本例において底壁部１５は、例えば紙などの、時間経過により土中へ自然溶解する有機質材料で形成されていることとする。また、接続部材１４の代わりに、もしくは併用して使用するために、各側壁部材１１ａに側壁部材同士を接続するための側壁接続部が形成された構成としてもよい。
【００１６】
図２は、接続部材１４を用いて複数の側壁部材１１ａ同士を接続することにより形成される側壁部１１と、底壁部１５により構成される植木鉢１０を示す斜視図である。このとき、図３に示すように、底壁部１５は、側壁部１１を構成する各底壁部材１１ａに形成された底壁取付部１７に着脱可能に取り付けられていることとする。
【００１７】
ここで、接続部材１４は、弾性を有し、図４に示すように、それぞれ異なる側壁部材１１ａに形成された接続孔１３に通すことで、2つの側壁部材１１ａを接続させることができるものである。なお、異なる側壁部材１１ａ同士の接続方法はこれに限定されず、植木鉢１０に用土２０が充填されている状態のとき、側壁部材１１ａと他の側壁部１１ａとの接続を解除可能であればよい。
【００１８】
次に、植木鉢１０を使用して行う栽培方法について説明する。本実施例においては、植木鉢１０を４個（植木鉢１０Ａ〜１０Ｄ）使用する場合を例にして説明を行う。
【００１９】
先ず、栽培対象となる植物の生育段階を、複数の段階に分ける。本例においては、栽培対象として市販のナスＡの苗からの生育段階を、第１から第４段階に分類した。なお、ナスＡの根が植木鉢１０Ａ内の用土に十分に着根するまでを「第１生育段階」とし、その後ナスＡの根が植木鉢１０Ｂの内部にまで伸びるまでを「第２生育段階」とし、その後ナスＡの根が植木鉢１０Ｃの内部にまで伸びるまでを「第３生育段階」とし、それ以降ナスＡが収穫するのに十分に生育するまでを「第４生育段階」とした。なお、ナスは野菜の中でも根が深く成長する種類のものである。
【００２０】
次に、植木鉢１０Ａに、第１生育段階に適した用土２０ａを充填し、ナスＡを植える。本例において用土２０ａは、赤土、堆肥、過燐酸石灰、化成肥料、その他を混合したものを使用した。
【００２１】
用土２０ａの中にナスＡの根が十分に着根したら、植木鉢１０Ｂに第２生育段階に適した用土２０ｂを充填し、植木鉢１０Ａを植木鉢１０Ｂの上側に重ね合わせる。なお、本例において用土２０ｂは、赤土、堆肥、過燐酸石灰、化成肥料、その他を混合したものを使用した。
【００２２】
図５は、さらに、同じ方法でナスＡの生育を進め、第４生育段階に達したときの植木鉢１０Ａ〜１０Ｄの状態を示す正面図である。なお、下に位置することとなる植木鉢１０に使用する接続部材１４の接続強度を、任意に調整可能とする構成としてもよい。この場合、例えば、接続部材１４の使用数の増減により接続強度を調整できるように、接続孔１３が多数形成されている構成とすればよい。このような構成とすることで、植木鉢１０にかかる重さにより、側壁部１１を形成する複数の側壁部材１１ａの接続が破壊されることを防ぐことができるようになる。
【００２３】
次に、栽培に使用した用土２０ａ〜２０ｄを回収する作業について説明する。
【００２４】
栽培対象のナスＡが第４生育段階を終えて収穫されると、次回の栽培に使用するためなどの目的から、用土２０ａ〜２０ｄを回収する必要が生じる。そこで、植木鉢１０Ａ〜１０Ｄの接続部材１４を取り外して側壁部１１を複数の側壁部材１１ａに分解し、用土２０ａ〜２０ｄを露出させる。このとき、植木鉢１０において、底壁部１５は側壁部材１１と着脱可能な構造となっているため、側壁部材１１ａのみを取り外すことができる。
【００２５】
図６は、このときの様子を示した一部断面図である。図６に示すように、用土２０ａ〜２０ｄはナスＡの根によってまとまった状態になっていることとする。さらに、２０ａ〜２０ｄ内には、ナスＡの根が連通孔１６に絡まった底壁部１５が含まれた状態となっていることとする。
【００２６】
ここで、本例における底壁部１５は、時間経過により用土中へ自然溶解する有機質材料で形成されているため、回収する必要がなくなる。
【００２７】
以上に説明したように、上述した一実施の形態では、側壁部１１と底壁部１５とによって形成され、上面が開口した植物の栽培に用いる植物栽培用容器（例えば、植木鉢１０）であって、側壁部１１は、他の側壁部材と接続および分離可能となる接続構造を備えた側壁部材（例えば、側壁部材１１ａ）が複数接続されることで形成され、底壁部１５は、複数の連通孔１６を有し、側壁部１１と取り外し可能に取り付けられていることを特徴とする構造としているので、栽培に使用した用土の回収を行う場合に、回収に必要な労力を軽減させることができるようになる。
【００２８】
また、上述した実施の形態では、複数の側壁部材（例えば、側壁部材１１ａ）には複数の接続孔１３が形成され、接続構造は、複数の接続孔１３を通って複数の側壁部材を接続する接続部材１４からなる構造としているので、必要に応じて接続強度を調節できる。これにより、積み重なる容器の重さにより側壁部が分割されることを防ぐことができるようになる。
【００２９】
また、上述した実施の形態では、底壁部１５は、時間経過により土中へ自然溶解する有機質材料で形成されているので、底壁部１５を用土から取り除く必要が無く、用土の回収に必要な労力をさらに軽減させることができるようになる。
【００３０】
また、上述した実施の形態では底壁部１５の材料を有機質材料であることを条件に選択することとしていたが、底壁部１５の材料は、焼却可能という観点から選択されていてもよい。このような材料（例えば、紙など）により底壁部１５を形成することで、例えば、用土に絡まった根の焼却や害虫駆除のために用土の焼却を行う場合に、底壁部１５を用土と一緒に焼却することができるため、用土の回収に必要な労力を軽減させることができるようになる。
【００３１】
また、上述した実施の形態では、植物の栽培方法であって、栽培対象とする植物（例えば、ナスＡ）の生育段階を２以上の段階に分類し、側壁部１１と底壁部１５とによって形成され、上面が開口した植物の栽培に用いる植物栽培用容器であって、側壁部１１は、他の側壁部材と接続および分離可能となる接続構造を備えた側壁部材（例えば、側壁部材１１ａ）が複数接続されることで形成され、底壁部１５は、複数の連通孔１６を有し、側壁部１１と取り外し可能に取り付けられている植物栽培用容器（例えば、植木鉢１０）を、複数個用意し（例えば、植木鉢１０Ａ〜１０Ｄ）、容器の１つに、第１生育段階に応じた肥料を混合した用土（例えば、用土２０ａ）を充填し、第１生育段階に応じた肥料が混合された用土が充填された容器（例えば、植木鉢１０Ａ）を第１生育段階用容器として、植物の種若しくは苗（例えば、ナスＡ）を植え付け、種若しくは苗の成長が第２生育段階に至ったときに、容器の１つ（例えば、植木鉢１０Ｂ）に、第２生育段階に応じた用土（例えば、用土２０ｂ）を充填し、第１生育段階用容器を、第２生育段階に応じた用土を充填した容器の上側に重ね合わせ、以後、栽培対象とする植物の成長に応じて、最下部の容器を、他の容器の上側に重ね合わせていくことにより、生育を進行させ、栽培に用いた用土（例えば、用土２０ａ〜２０ｄ）を回収する場合（例えば、栽培対象の収穫を終えた後）には、側壁部１１を底壁部１５から分離させて用土を露出させることを特徴とする構成としているので、植物の生育段階に対応した用土を順次追加していく栽培方法において、栽培に使用した用土の回収を行う場合に、回収に必要な労力を軽減させることができるようになる。
【産業上の利用可能性】
【００３２】
本発明によれば、植物の生育段階に対応した用土を順次追加していく栽培方法に使用される容器であって、栽培に使用した用土の回収が必要となった場合に、回収に必要な労力を軽減させることができる容器を提供するのに有用である。
【符号の説明】
【００３３】
１０                 
植木鉢  
１１                 
側壁部
１１ａ        側壁部材
１２                 
摘み部
１３                 
接続孔
１４                 
接続部材
１５          底壁部
１６          連通孔
１７          底壁取付部
【図１】
2010263814.tif 000003
【図２】
2010263814.tif 000004
【図３】
2010263814.tif 000005
【図４】
2010263814.tif 000006
【図５】
2010263814.tif 000007
【図６】
2010263814.tif 000008